(57)【要約】【課題】２つのプラテンを同一の駆動モータで駆動する場合において、プラテンの外径を厳密に管理しなくても、感熱紙の搬送を円滑に行うことが可能となる。【解決手段】感熱紙Ｐを用紙搬送路２２に沿って供給するフィード機構２３と、用紙搬送路２２に沿って設けられた第１サーマルヘッド５１と、第１サーマルヘッド５１に対して用紙搬送路２２を挟んで配置された第１プラテンローラ５２と、用紙搬送路２２に沿って設けられた第２サーマルヘッド６１と、第２サーマルヘッド６１に対して用紙搬送路２２を挟んで配置された第２プラテンローラ６２と、第１プラテンローラ５２が感熱紙Ｐの供給側に回転する場合にのみ、駆動モータ４１からの駆動力を切断するワンウエイギア５４と、第２プラテンローラ６２が感熱紙Ｐの排出側に回転する場合にのみ、駆動モータ４１からの駆動力を切断するワンウエイギア６４とを備えている。【選択図】      図２
2008006677.tif 000002
【特許請求の範囲】
【請求項１】
感熱紙を用紙搬送路に沿って搬送する感熱紙搬送機構と、
上記用紙搬送路に沿って設けられ、上記用紙搬送路の第１面側に対向配置された第１サーマルヘッドと、
この第１サーマルヘッドに対して上記用紙搬送路を挟んで配置された第１プラテンローラと、
上記用紙搬送路に沿って、かつ、上記第１サーマルヘッドに対して上記感熱紙の供給側に設けられ、上記用紙搬送路の第２面側に対向配置された第２サーマルヘッドと、
この第２サーマルヘッドに対して上記用紙搬送路を挟んで配置された第２プラテンローラと、
上記第１プラテンローラ及び上記第２プラテンローラを駆動する駆動機構と、
上記第１プラテンローラが上記感熱紙の供給側に回転する場合にのみ、上記駆動機構からの駆動力を切断する第１選択的回転力伝達機構と、
上記第２プラテンローラが上記感熱紙の排出側に回転する場合にのみ、上記駆動機構からの駆動力を切断する第２選択的回転力伝達機構とを備えていることを特徴とする両面印刷サーマルプリンタ。
【請求項２】
少なくとも上記第１選択的回転力伝達機構又は第２選択的回転力伝達機構の一方は、ワンウエイギアを具備することを特徴とする請求項１に記載の両面印刷サーマルプリンタ。
【発明の詳細な説明】
【技術分野】
【０００１】
本発明は、感熱紙の両面に印刷を行う両面印刷サーマルプリンタに関し、特に円滑な用紙搬送を行うことができる技術に関する。
【背景技術】
【０００２】
感熱紙に対して両面印刷を行うための両面印刷サーマルプリンタが知られている（例えば、特許文献１参照）。このような両面印刷サーマルプリンタでは、感熱紙の両面に印刷するために、各面に対応して２つのサーマルヘッドが設けられている。
【０００３】
各サーマルヘッドには、それぞれプラテンが配置されており、これらサーマルヘッドとプラテンとの間を感熱紙が通過し、サーマルヘッドに加えられた熱によって感熱紙上に印刷を行うようにしていた。
【特許文献１】特開平１１−２８６１４７号公報
【発明の開示】
【発明が解決しようとする課題】
【０００４】
上述した両面印刷サーマルプリンタでは、次のような問題があった。すなわち、２つのプラテンは、一般的に同一の駆動モータにより駆動されることが多く、このような場合、両プラテンの外径を厳密に管理しないと、感熱紙が引っ張られたり、緩んだりして、印刷に不具合を生じる虞があった。
【０００５】
そこで本発明は、２つのプラテンを同一の駆動モータで駆動する場合において、プラテンの外径を厳密に管理しなくても、感熱紙の搬送を円滑に行うことができる両面印刷サーマルプリンタを提供することを目的としている。
【課題を解決するための手段】
【０００６】
前記課題を解決し目的を達成するために、本発明の両面印刷サーマルプリンタは次のように構成されている。
【０００７】
感熱紙を用紙搬送路に沿って搬送する感熱紙搬送機構と、上記用紙搬送路に沿って設けられ、上記用紙搬送路の第１面側に対向配置された第１サーマルヘッドと、この第１サーマルヘッドに対して上記用紙搬送路を挟んで配置された第１プラテンローラと、上記用紙搬送路に沿って、かつ、上記第１サーマルヘッドに対して上記感熱紙の供給側に設けられ、上記用紙搬送路の第２面側に対向配置された第２サーマルヘッドと、この第２サーマルヘッドに対して上記用紙搬送路を挟んで配置された第２プラテンローラと、上記第１プラテンローラ及び上記第２プラテンローラを駆動する駆動機構と、上記第１プラテンローラが上記感熱紙の供給側に回転する場合にのみ、上記駆動機構からの駆動力を切断する第１選択的回転力伝達機構と、上記第２プラテンローラが上記感熱紙の排出側に回転する場合にのみ、上記駆動機構からの駆動力を切断する第２選択的回転力伝達機構とを備えていることを特徴とする。
【発明の効果】
【０００８】
本発明によれば、２つのプラテンを同一の駆動モータで駆動する場合において、プラテンの外径を厳密に管理しなくても、感熱紙の搬送を円滑に行うことが可能となる。
【発明を実施するための最良の形態】
【０００９】
図１は本発明の一実施の形態に係る両面印刷サーマルプリンタ１０を模式的に示す縦断面図、図２は両面印刷サーマルプリンタ１０に組み込まれた印刷機構３０の要部を示す側面図である。なお、図１中Ｐは両面に印刷面を有する感熱紙を示している。
【００１０】
両面印刷サーマルプリンタ１０は、筐体１１を備えており、各機構を収容する筐体本体１２と、この筐体本体１２に対して開閉自在に設けられた開閉蓋１３とを備えている。
【００１１】
筐体１１内には、感熱紙Ｐを巻回した感熱紙ロールＲを回転自在に支持し、感熱紙Ｐを供給する感熱紙供給部２０と、供給された感熱紙Ｐに印刷を行う印刷機構３０が収容されている。
【００１２】
感熱紙供給部２０は、感熱紙ロールＲを保持する保持部２１と、この保持部２１から印刷機構３０へ感熱紙Ｐを用紙搬送路２２に沿って搬送するフィード機構２３とを備えている。
【００１３】
印刷機構３０は、駆動機構４０と、用紙搬送路２２に沿って設けられた第１印刷部５０、第２印刷部６０、切断機構７０とを備えている。
【００１４】
駆動機構４０は、駆動モータ４１と、この駆動モータ４１の発生する回転力を各部に伝達するギア機構４２とを備えている。
【００１５】
第１印刷部５０は、用紙搬送路２２の延設方向に直交する一方の側（第１面側）に対向配置された第１サーマルヘッド５１と、この第１サーマルヘッド５１に用紙搬送路２２を挟んで対向配置された第１プラテン５２と、第１サーマルヘッド５１を第１プラテン５２側に付勢するスプリング５３と、ギア機構４２からの回転力を第１プラテン５２に選択的に伝達するワンウエイギア５４とを備えている。ワンウエイギア５４は、第１プラテン５２が感熱紙Ｐの逆搬送方向に回転する際は（図中矢印Ｇ）、自由回転（フリー状態）となり回転力を切断し、感熱紙Ｐの搬送方向（図中矢印Ｆ）に回転する際は、ギア機構４２に噛み合って（ロック状態）、回転力が伝達される。
【００１６】
第２印刷部６０は、用紙搬送路２２の延設方向に直交する他方の側（第２面側）に対向配置された第２サーマルヘッド６１と、この第２サーマルヘッド６１に用紙搬送路２２を挟んで対向配置された第２プラテン６２と、第２サーマルヘッド６１を第２プラテン６２側に付勢するスプリング６３と、ギア機構４２からの回転力を第２プラテン６２に選択的に伝達するワンウエイギア６４とを備えている。ワンウエイギア６４は、第２プラテン６２が感熱紙Ｐの搬送方向に回転する際は（図中矢印Ｑ）、自由回転（フリー状態）となり回転力を切断し、感熱紙Ｐの逆搬送方向（図中矢印Ｆ′）に回転する際は、ギア機構４２に噛み合って（ロック状態）、回転力が伝達される。
【００１７】
このように構成された両面印刷サーマルプリンタ１０は、次のようにして印刷が行われる。すなわち、外部からの印刷指令が入力されると、駆動モータ４１が一定方向に回転する。この駆動モータ４１の回転は、ギア機構４２を介してフィード機構２３を駆動し、感熱紙Ｐを排出方向へ駆動する。
【００１８】
ギア機構４２は、さらに第１プラテン５２を感熱紙Ｐの搬送方向に回転させる。これに対し、第２プラテン６２はワンウエイギア６４によって回転力が切断されており、従動するに過ぎない。これにより、感熱紙Ｐには、第１プラテン５２による引張力が作用し、第１プラテン５２及び第２プラテン６２の外径寸法に関わらず、常に一定のテンションが保たれた状態で排出方向に搬送される。
【００１９】
このような状態で、感熱紙Ｐを第２印刷部６０まで搬送する。第２印刷部６０では、感熱紙Ｐの第２面Ｐ２への印刷を開始する。感熱紙Ｐが第１印刷部５０に達すると、感熱紙Ｐの第１面Ｐ１への印刷を開始する。
【００２０】
なお、印刷位置の位置合わせ等のため、感熱紙Ｐを逆搬送する場合は、ギア機構４２は、第２プラテン６２を感熱紙Ｐの逆搬送方向に回転させる。これに対し、第１プラテン５２はワンウエイギア５４によって回転力が切断されており、従動するに過ぎない。これにより、感熱紙Ｐには、第２プラテン６２による引張力が作用し、第１プラテン５２及び第２プラテン６２の外径寸法に関わらず、常に一定のテンションが保たれた状態で逆搬送方向に搬送される。
【００２１】
感熱紙Ｐの両面への印刷が終了すると、感熱紙Ｐが切断機構７０に送られ、切断される。
【００２２】
上述したように、本実施の形態に係る両面印刷プリンタ１０によれば、感熱紙Ｐの両面に印刷を行うことができるとともに、第１プラテン５２及び第２プラテン６２を同一の駆動モータ４１で駆動する場合において、第１プラテン５２及び第２プラテン６２の外径を厳密に管理しなくても、感熱紙Ｐの搬送及び逆搬送を円滑に行うことが可能となる。
【００２３】
なお、本発明は前記実施の形態に限定されるものではなく、この他、本発明の要旨を逸脱しない範囲で種々変形実施可能であるのは勿論である。
【図面の簡単な説明】
【００２４】
【図１】本発明の一実施の形態に係る両面印刷サーマルプリンタを模式的に示す縦断面図。
【図２】同両面印刷サーマルプリンタに組み込まれた印刷機構の要部を示す側面図。
【符号の説明】
【００２５】
１０…両面印刷サーマルプリンタ、２０…感熱紙供給部、２２…用紙搬送路、２３…フィード機構（感熱紙供給機構）、３０…印刷機構、４０…駆動機構、５０…第１印刷部、５１…第１サーマルヘッド、５２…第１プラテン、５３…第１アクチュエータ、５４…ワンウエイギア、６０…第２印刷部、６１…第２サーマルヘッド、６２…第２プラテン、６４…ワンウエイギア、７０…切断機構。
【図１】
2008006677.tif 000003
【図２】
2008006677.tif 000004